(57)【特許請求の範囲】
【請求項１】
情報送信者の端末から情報を受信し、該情報を情報受信者の端末へ送信する情報仲介装置であって、
前記情報受信者を識別する受信者識別情報と、前記情報送信者を識別する送信者識別情報と、該情報受信者の優先度と、を対応付けて記憶する記憶手段と、
前記情報送信者の端末から、第１送信者識別情報と、該情報送信者の行動履歴を含む第１生活情報と、を受信する情報受信手段と、
前記情報仲介装置の処理負荷を示す負荷値を測定し、該負荷値が第１閾値以上であるかどうかを判定する第１負荷判定手段と、
前記負荷値が前記第１閾値以上であると判定された場合に、前記記憶手段を参照して、前記第１送信者識別情報に対応する受信者識別情報を対応受信者識別情報として抽出する対応受信者特定手段と、
前記対応受信者識別情報を有する情報受信者の優先度が第２閾値以上であるかどうかを判定する優先受信者判定手段と、
前記対応受信者識別情報を有する情報受信者の優先度が第２閾値以上である場合に、前記第１送信者識別情報と前記第１生活情報とを関連付けて蓄積する情報蓄積手段と、
前記対応受信者識別情報に対応する前記第１送信者識別情報に関連付けられた前記第１生活情報を前記情報受信者の端末へ送信する情報提示手段と、を具備することを特徴とする情報仲介装置。
【請求項２】
前記負荷値が前記第１閾値以上であると判定された場合で、かつ前記優先受信者判定手段が前記第２閾値以上の優先度を有する対応受信者識別情報が存在しないと判定した場合、対応受信者識別情報に対応する、第２送信者識別情報と第２生活情報とを関連付けて格納する、前記情報蓄積手段よりも処理負荷が軽い情報保留手段と、
一定時間ごとに起動信号を生成するタイマー手段と、
前記起動信号により起動した場合に、前記負荷値を測定し、該負荷値が第３閾値未満であれば前記情報保留手段に格納された前記第２送信者識別情報と前記第２生活情報とを関連付けて前記情報蓄積手段に蓄積する第２負荷判定手段と、をさらに具備する請求項１に記載の情報仲介装置。
【請求項３】
情報送信者の端末から情報を受信し、該情報を情報受信者の端末へ送信する情報仲介装置で使用される情報仲介方法であって、
前記情報受信者を識別する受信者識別情報と、前記情報送信者を識別する送信者識別情報と、該情報受信者の優先度と、を対応付けて記憶する記憶手段を用意し、
前記情報送信者の端末から、第１送信者識別情報と、該情報送信者の行動履歴を含む第１生活情報と、を受信し、
前記情報仲介装置の処理負荷を示す負荷値を測定し、該負荷値が第１閾値以上であるかどうかを判定し、
前記負荷値が前記第１閾値以上であると判定された場合に、前記記憶手段を参照して、前記第１送信者識別情報に対応する受信者識別情報を対応受信者識別情報として抽出し、
前記対応受信者識別情報を有する情報受信者の優先度が第２閾値以上であるかどうかを判定し、
前記対応受信者識別情報を有する情報受信者の優先度が第２閾値以上である場合に、前記第１送信者識別情報と前記第１生活情報とを関連付けて蓄積手段に蓄積し、
前記対応受信者識別情報に対応する前記第１送信者識別情報に関連付けられた前記第１生活情報を前記情報受信者の端末へ送信することを具備することを特徴とする情報仲介方法。
【請求項４】
前記負荷値が前記第１閾値以上であると判定された場合で、かつ前記第２閾値以上の優先度を有する対応受信者識別情報が存在しないと判定された場合、対応受信者識別情報に対応する、第２送信者識別情報と第２生活情報とを関連付けて、前記蓄積手段よりも処理負荷が軽い保留手段に格納し、
一定時間ごとに起動信号を生成し、
前記起動信号により起動した場合に、前記負荷値を測定し、該負荷値が第３閾値未満であれば前記保留手段に格納された前記第２送信者識別情報と前記第２生活情報とを関連付けて前記蓄積手段に蓄積することをさらに具備する請求項３に記載の情報仲介方法。
【請求項５】
コンピュータを、請求項１又は請求項２に記載の情報仲介装置の各手段として実行させるためのプログラム。
【発明の詳細な説明】
【技術分野】
【０００１】
この発明は、情報送信者からの情報を情報受信者に提示する際の仲介となる情報仲介装置、方法およびプログラムに関する。
【背景技術】
【０００２】
近年、多数の情報送信者から提供される情報を蓄積して集計処理し、その集計データを情報受信者に提供するシステムが提案されている。このシステムを使用することで、情報受信者は提供された集計データをもとにマーケティング処理等を行うことが可能となる。
【０００３】
ところで、この種のシステムでは、リソースの容量を考慮し、優先度に基づいて、利用者からの通信要求の受付、拒否を制御する方法がある（例えば、特許文献１参照。）。
【先行技術文献】
【特許文献】
【０００４】
【特許文献１】特開２００７−２８０３５号公報
【発明の概要】
【発明が解決しようとする課題】
【０００５】
ところが、上述のようなリソースの容量は送信側で判定され、さらに優先度もリソースの容量に応じて送信側で決定されるため、利用者（受信者）側では必ずしも所望の優先度に応じた情報を得ることができない。
【０００６】
この発明は上記事情に着目してなされたもので、その目的とするところは、優先度の高い受信者が、必要とする情報を優先的に取得することができる情報仲介装置、方法およびプログラムを提供することにある。
【課題を解決するための手段】
【０００７】
上記目的を達成するためにこの発明の一つの観点は、情報送信者の端末から情報を受信し、該情報を情報受信者の端末へ送信する情報仲介装置であって、前記情報受信者を識別する受信者識別情報と、前記情報送信者を識別する送信者識別情報と、該情報受信者の優先度と、を対応付けて記憶する記憶手段と、前記情報送信者の端末から、第１送信者識別情報と、該情報送信者の行動履歴を含む第１生活情報と、を受信する情報受信手段と、前記情報仲介装置の処理負荷を示す負荷値を測定し、該負荷値が第１閾値以上であるかどうかを判定する第１負荷判定手段と、前記負荷値が前記第１閾値以上であると判定された場合に、前記記憶手段を参照して、前記第１送信者識別情報に対応する受信者識別情報を対応受信者識別情報として抽出する対応受信者特定手段と、前記対応受信者識別情報を有する情報受信者の優先度が第２閾値以上であるかどうかを判定する優先受信者判定手段と、前記対応受信者識別情報を有する情報受信者の優先度が第２閾値以上である場合に、前記第１送信者識別情報と前記第１生活情報とを関連付けて蓄積する情報蓄積手段と、前記対応受信者識別情報に対応する前記第１送信者識別情報に関連付けられた前記第１生活情報を前記情報受信者の端末へ送信する情報提示手段と、を具備することを特徴とする。
【発明の効果】
【０００８】
すなわちこの発明によれば、優先度の高い受信者が、必要とする情報を優先的に取得することができる。
【図面の簡単な説明】
【０００９】
【図１】第１の実施形態に係る情報仲介システムの概略図。
【図２】第１の実施形態に係る情報仲介装置を示すブロック図。
【図３】第１の実施形態に係る送受信者対応記憶部に記憶される対応表の一例を示す図。
【図４】第１の実施形態に係る優先受信者記憶部に記憶される対応表の一例を示す図。
【図５】第１の実施形態に係る情報仲介装置の動作を示すフローチャート。
【図６】第２の実施形態に係る情報仲介装置を示すブロック図。
【発明を実施するための形態】
【００１０】
以下、図面を参照しながら本発明の実施形態に係る情報仲介装置、方法およびプログラムについて詳細に説明する。なお、以下の実施形態では、同一の番号を付した部分については同様の動作を行うものとして、重ねての説明を省略する。
【００１１】
（第１の実施形態）  
本実施形態にかかる情報仲介システムの概念について図１を参照して説明する。  
情報仲介システム１００は、情報送信端末１０１、情報仲介装置１０２、一般情報受信端末１０４、および優先情報受信端末１０３を含む。
【００１２】
この情報仲介システム１００は、１以上の情報送信端末１０１から情報仲介装置１０２へ通信ネットワークを介して情報送信者の生活情報を伝送可能とすると共に、情報仲介装置１０２から情報受信端末（優先情報受信端末１０３および一般情報受信端末１０４）へ通信ネットワークを介して、生活情報を伝送可能としたものである。なお、通信ネットワークは、ＩＰ（Internet Protocol）網と、このＩＰ網にアクセスするためのアクセス網とから構成される。アクセス網としては、光公衆通信網、携帯電話網、ＬＡＮ（Local Area Network）、無線ＬＡＮ、ＣＡＴＶ（Cable Television）網等が用いられる。
【００１３】
情報送信端末１０１は、情報送信者が使用するものであり、例えば携帯電話機やＰＤＡ（Personal Digital Assistant）等の携帯端末、パーソナル・コンピュータ等の固定情報端末、双方向通信機能を有するテレビジョン受信装置により構成される。生活情報は、情報送信者の生活の行動履歴をデータ化した情報であり、例えば、携帯電話利用者の通話履歴、ＷＷＷ（World Wide Web）の閲覧履歴、インターネットの検索ワード履歴、オンラインショッピング履歴が挙げられる。  
また、情報送信端末１０１は、情報送信者の個人情報など固有の識別情報を示す送信者識別情報（以下、情報送信者ＩＤという）を保持し、情報送信者の生活情報を情報仲介装置１０２へ送信する際は、生活情報と情報送信者ＩＤとを対応付けて送信する。なお、生活情報と情報送信者ＩＤとを送信する場合は、定期的に生活情報をまとめて情報仲介装置１０２へ送信してもよいし、生活情報が生成されるごと（例えば、検索ワード履歴が増えるごと）に情報仲介装置１０２へ送信してもよい。
【００１４】
情報仲介装置１０２は、情報送信端末１０１から情報送信者ＩＤと生活情報とを受け取り、情報仲介装置１０２の負荷状態を判定し、負荷が閾値以上である場合は優先情報受信端末１０３が要求する情報送信者ＩＤと生活情報とを優先して蓄積する。また、情報仲介装置１０２は、優先情報受信端末１０３または一般情報受信端末１０４から要求があった場合に、情報送信者ＩＤと生活情報とを提示する。情報仲介装置１０２の詳細な動作については図２を参照して後述する。
【００１５】
一般情報受信端末１０４は、情報送信者の生活情報などを要求する情報受信者が使用する端末であり、情報送信端末１０１と同様にパーソナル・コンピュータなどから構成される。一般情報受信端末１０４は、情報仲介装置１０２へ情報を取得するために要求を送り、要求に応じて提示された生活情報を情報仲介装置１０２から得る。
【００１６】
優先情報受信端末１０３は、一般情報受信端末１０４と同様に構成されるが、情報受信者のうち優先受信者が使用する端末であり、情報仲介装置１０２の負荷が大きい場合でも一般情報受信端末１０４に比べて情報仲介装置１０２から優先的に情報を取得できる点が異なる。優先受信者と一般受信者との区別は、優先度で判定される。優先度は、情報受信者が優先して情報を取得できる度合いを示し、本実施形態では、優先度が閾値以上である情報受信者を「優先受信者」、閾値未満である情報受信者を「一般受信者」とする。優先受信者となる場合は、例えば、追加料金を支払うなど一般情報受信端末１０４を利用する一般受信者に比べて多くの料金を支払っている場合や、情報仲介装置１０２が指定した地域に存在する利用者が優先受信者となる場合が考えられるが、これらに限定されずどのような方法で区別してもよい。
【００１７】
次に、本実施形態に係る情報仲介装置について図２を参照して詳細に説明する。  
本実施形態に係る情報仲介装置１０２は、情報受信部２０１、負荷判定部２０２、送受信者対応記憶部２０３、対応受信者特定部２０４、優先受信者記憶部２０５、優先受信者判定部２０６、情報蓄積部２０７、および情報提示部２０８を含む。
【００１８】
情報受信部２０１は、情報送信端末１０１から情報送信者ＩＤと生活情報とを受け取る。  
負荷判定部２０２は、情報受信部２０１から情報送信者ＩＤと生活情報とを受け取り、これらの情報を受け取ったときの情報仲介装置１０２の負荷状態を示す負荷値を測定し、負荷値が閾値以上であるかどうかを判定する。負荷値は、情報仲介装置１０２の処理負荷を示す値であり、例えばＣＰＵ使用率、メモリ使用量といったものが挙げられるが、これらに限定されない。負荷判定部２０２は、負荷値が閾値未満である場合、受け取った情報送信者ＩＤと生活情報とを後述する情報蓄積部２０７へ蓄積する。負荷値が閾値以上である場合、後述の対応受信者特定部２０４へ送る。なお、負荷判定部２０２は、情報送信者ＩＤと生活情報とを受け取ったときに初めて負荷値を測定してもよいし、常に負荷値を測定し続けていてもよい。
【００１９】
送受信者対応記憶部２０３は、情報受信者の識別情報を示す受信者識別情報（以下、情報受信者ＩＤという）と、情報受信者が要求する生活情報を送信する情報送信者の情報送信者ＩＤとを対応付けて、予め記憶する。送受信者対応記憶部２０３については、図３を参照して後述する。  
対応受信者特定部２０４は、負荷判定部２０２から情報送信者ＩＤと生活情報とを受け取り、情報送信者ＩＤをキーとして送受信者対応記憶部２０３を検索し、情報送信者ＩＤに対応する情報受信者ＩＤがあれば対応受信者ＩＤとして抽出する。なお、対応受信者特定部２０４は、送信者ＩＤに対応する受信者ＩＤがない場合は送信者ＩＤと生活情報とを破棄してもよい。
【００２０】
優先受信者記憶部２０５は、情報受信者ＩＤと、情報受信者ＩＤを有する情報受信者の優先度とを対応付けて、予め記憶する。優先受信者記憶部２０５については、図４を参照して後述する。なお、送受信者対応記憶部２０３と優先受信者記憶部２０５とを１つの記憶部としてもよい。この場合は、情報送信者ＩＤと情報受信者ＩＤと優先度とをそれぞれ対応付けて記憶すればよい。
【００２１】
優先受信者判定部２０６は、対応受信者特定部２０４から情報送信者ＩＤと、生活情報と、抽出された１以上の対応受信者ＩＤとを受け取り、対応受信者ＩＤをキーとして優先受信者記憶部２０５を検索し、対応受信者ＩＤを有する情報受信者の優先度が閾値以上であるかどうかを判定する。すなわち、本実施形態では、優先受信者が存在するかどうかを判定する。優先受信者判定部２０６は、１人でも優先受信者が存在する場合は、情報蓄積部２０７に情報送信者ＩＤと生活情報とを蓄積する。
【００２２】
情報蓄積部２０７は、負荷判定部２０２または優先受信者判定部２０６から、情報送信者ＩＤと生活情報とを受け取って関連付けて蓄積する。  
情報提示部２０８は、優先情報受信端末１０３または一般情報受信端末１０４からの要求に応じて、情報蓄積部２０７から情報受信者ＩＤと対応する情報送信者ＩＤの生活情報を抽出して提示する。
【００２３】
次に、送受信者対応記憶部２０３に記憶される対応表の一例について図３を参照して説明する。  
図３に示すように、送受信者対応記憶部２０３には、情報送信者の情報送信者ＩＤ３０１と、情報送信者の生活情報を要求する情報受信者の情報受信者ＩＤ３０２とが対応付けられて記憶される。なお、特定の情報送信者の情報を要求する情報受信者が複数存在してもよい。例えば、図３の例では、情報送信者ＩＤ「Ｓ１」に対しては、情報受信者ＩＤ「Ｒ１」、「Ｒ２」、「Ｒ３」がそれぞれ対応付けられており、情報送信者ＩＤ「Ｓ１」の情報送信者に関する情報を３人の情報受信者が要求していることがわかる。
【００２４】
次に、優先受信者記憶部２０５に記憶される対応表の一例について図４を参照して説明する。  
図４に示すように、優先受信者記憶部２０５には、情報受信者ＩＤ３０２と優先度４０１とが対応付けられて記憶される。具体的に図４の例では、情報受信者ＩＤ「Ｒ１」と優先度「優先受信者」とが対応付けられ、情報受信者ＩＤ「Ｒ２」と優先度「一般受信者」とが対応付けられている。  
なお、図４の例では、「優先受信者」と「一般受信者」との２段階の優先度に分けているが、これに限らず、さらに優先度を複数の段階に分けてもよい。例えば、追加料金の金額に応じて複数の閾値を設定し、追加料金が高いほど優先度の段階を高くして、優先度の高い情報受信者が要求する生活情報から順に情報蓄積部２０７へ蓄積するようにしてもよい。
【００２５】
ここで、本実施形態に係る情報仲介装置１０２の動作について図５のフローチャートを参照して説明する。  
ステップＳ５０１では、情報受信部２０１が、情報送信端末１０１から情報送信者ＩＤと生活情報とを受信する。  
ステップＳ５０２では、負荷判定部２０２が、情報送信者ＩＤと生活情報とを受け取ったときに情報仲介装置１０２の負荷値を算出し、負荷値が閾値以上であるかどうかを判定する。負荷値が閾値以上であれば、ステップＳ５０３に進み、負荷値が閾値未満であれば、ステップＳ５０６へ進む。
【００２６】
ステップＳ５０３では、対応受信者特定部２０４が、送受信者対応記憶部２０３から情報送信者ＩＤに対応する情報受信者ＩＤを検索して、対応する情報受信者ＩＤがあれば対応受信者ＩＤとして抽出する。  
ステップＳ５０４では、優先受信者判定部２０６が、優先受信者記憶部２０５からステップＳ５０３で抽出された１以上の対応受信者ＩＤに対応する優先度をそれぞれ抽出する。  
ステップＳ５０５では、優先受信者判定部２０６が、ステップＳ５０４で抽出された対応受信者ＩＤのうち、優先受信者である情報受信者ＩＤが存在するかどうかを判定する。優先受信者である情報受信者ＩＤが１つでも存在すればステップＳ５０６に進み、優先受信者である情報受信者ＩＤが存在しなければステップＳ５０７へ進む。
【００２７】
ステップＳ５０６では、情報蓄積部２０７が、ステップＳ５０２で負荷値が閾値未満と判定された場合の情報送信者ＩＤと生活情報とを関連付けて蓄積する。すなわち、負荷値が閾値未満であれば、処理の負担を考慮する必要がないため、一般受信者および優先受信者の区別をすることなく、各情報受信者が要求する生活情報と情報送信者ＩＤとを蓄積する。また、情報蓄積部２０７は、ステップＳ５０５で優先受信者の情報受信者ＩＤに対応する情報送信者ＩＤと生活情報とを関連付けて蓄積する。これは、ＣＰＵ使用率が高いなど情報仲介装置１０２の負荷値が高い場合に、優先受信者が要求する生活情報のみを優先的に記録し、一般受信者が要求する情報を蓄積しないようにするためである。
【００２８】
ステップＳ５０７では、情報送信端末１０１に生活情報の受信拒否を通知する。なお、優先受信者判定部２０６が情報送信者ＩＤと生活情報とを破棄してもよい。  
ステップＳ５０８では、情報提示部２０８が、情報受信者の要求に応じて生活情報を提示する。提示方法としては、例えば、以下の方法が挙げられる。はじめに、優先情報受信端末１０３または一般情報受信端末１０４から、ＷＷＷブラウザなどを通じて情報仲介装置１０２へ情報受信者ＩＤが送信されることにより、生活情報の取得要求がなされる。その後、情報提示部２０８は、パスワード認証など一般的な認証技術によって情報受信者ＩＤを認識し、情報受信者ＩＤをキーとして送受信者対応記憶部２０３を検索して情報送信者ＩＤを取得する。情報提示部２０８は、情報送信者ＩＤをキーとして情報蓄積部２０７を検索し、情報送信者ＩＤに対応する生活情報を取得して、優先情報受信端末１０３または一般情報受信端末１０４に生活情報を送信することで、ＷＷＷブラウザに表示する。なお、上記の方法に限らず、優先情報受信端末１０３または一般情報受信端末１０４に情報を提示できる方法であれば何でもよい。  
なお、情報送信者のプライバシーを保護するために、情報送信者の情報送信者ＩＤやプロフィールは表示させないようにすることが望ましい。
【００２９】
ここで、負荷値が閾値以上の場合には優先受信者が要求する情報のみ情報蓄積部に蓄積する理由について説明する。  
負荷値の一指標であるＣＰＵ使用率が高い状態で全ての情報を蓄積する動作を行ってしまうと、他の動作が遅くなるといった悪影響を及ぼすからである。また、ＣＰＵ使用率が高いときに全ての情報を蓄積しようとすると、いくつかの情報を取りこぼして蓄積できない可能性があり、この情報の取りこぼしはランダムに発生するため制御することができない。よって、ＣＰＵ使用率が高いときには、優先受信者が要求する情報を優先的に蓄積することで、優先受信者が要求する情報を担保することができる。
【００３０】
以上に示した第１の実施形態によれば、情報仲介装置１０２の負荷値が閾値以上であるかどうかを判定し、負荷値が閾値以上である場合に優先受信者が要求する生活情報のみを蓄積することにより、優先受信者が要求する生活情報を優先的に提供することができる。
【００３１】
（第２の実施形態）  
第１の実施形態では、負荷値が閾値以上である場合は一般受信者の情報は情報蓄積部に蓄積されないので、負荷値が閾値以上となる場合が多い状態では、一般受信者向けの生活情報がなかなか更新されないことがありうる。また、情報蓄積部は、ＲＤＢ（Relational Data Base:リレーショナルデータベース）などで構成され、情報をＲＤＢに記憶する際にはinsert操作を行うなどＲＤＢに情報を記憶する計算コストが高い。さらに、処理に時間がかかるため、ＲＤＢを大きくしても情報仲介装置の負荷が大きくなる。  
そこで、第２の実施形態では、情報蓄積部よりも負荷が軽い情報保留部を設けることにより、情報仲介装置の負荷を極端に増やすことなく、負荷値が下がったときに一般受信者向けの生活情報も更新することができ、受信者に更新頻度の高い情報を提供することができる。
【００３２】
第２の実施形態に係る情報仲介装置について図６を参照して説明する。  
第２の実施形態に係る情報仲介装置６００は、情報受信部２０１、第１負荷判定部６０１（負荷判定部２０２）、送受信者対応記憶部２０３、対応受信者特定部２０４、優先受信者記憶部２０５、優先受信者判定部２０６、情報保留部６０２、タイマー部６０３、第２負荷判定部６０４、情報蓄積部６０５、および情報提示部２０８を含む。  
なお、情報受信部２０１、第１負荷判定部６０１（負荷判定部２０２）、送受信者対応記憶部２０３、対応受信者特定部２０４、優先受信者記憶部２０５、優先受信者判定部２０６、および情報提示部２０８は、第１の実施形態と同様の動作を行うためここでの説明は省略する。
【００３３】
情報保留部６０２は、例えばメモリまたはハードディスクで構成され、ハードディスクの場合は、受信したデータを直接書き込むような場合を想定する。すなわち、情報蓄積部２０７に情報を記録する処理負荷よりも処理負荷が軽い構成であればよい。情報保留部６０２は、優先受信者判定部２０６から、情報受信者ＩＤの優先度が一般受信者である情報受信者が要求する、情報送信者ＩＤと生活情報とを受け取って関連付けて格納する。
【００３４】
タイマー部６０３は、一定時間経過後に後述する第２負荷判定部６０４を起動する起動信号を生成する。  
第２負荷判定部６０４は、タイマー部６０３から起動信号を受け取ったときに起動し、情報保留部６０２から、一般受信者が要求する情報送信者ＩＤと生活情報とを受け取ったときに情報仲介装置６００の負荷値を測定し、負荷値が閾値以上であるかどうかを判定する。負荷値が閾値以上である場合は、一般受信者が要求する情報送信者ＩＤと生活情報とを後述する情報蓄積部６０５には蓄積しない。負荷値が閾値未満である場合は、一般受信者が要求する情報送信者ＩＤと生活情報とを関連付けて情報蓄積部６０５へ蓄積する。
【００３５】
情報蓄積部６０５は、第１の実施形態に係る情報蓄積部２０７とほぼ同様の動作を行うが、優先受信者判定部２０６から優先受信者が要求する情報送信者ＩＤと生活情報とを関連付けて蓄積するのに加え、第２負荷判定部６０４から一般受信者が要求する情報送信者ＩＤと生活情報とを関連付けて蓄積する点が異なる。
【００３６】
なお、第２負荷判定部６０４で負荷値を判定する際の閾値と、第１負荷判定部６０１で負荷値を判定する際の閾値とは、異なることが望ましい。例えば、第１負荷判定部６０１の閾値をＣＰＵ使用率８０％とし、第２負荷判定部６０４の閾値をＣＰＵ使用率６０％とする場合を想定する。ＣＰＵ使用率が８５％から７０％へ低下したときは、一般受信者が要求する生活情報の受信および蓄積が開始され、さらにＣＰＵ使用率が７０％から５０％へ低下した場合は、ＣＰＵに余裕があるので、情報保留部６０２に蓄積された生活情報を情報蓄積部６０５に蓄積することで、情報の取りこぼしが少なくなる。
【００３７】
以上に示した第２の実施形態によれば、情報蓄積部よりも負荷が軽い情報保留部を設けることにより、情報仲介装置の負荷を極端に増やすことなく、負荷値が下がったときに一般受信者向けの生活情報も更新することができ、情報受信者に更新頻度の高い情報を提供することができる。
【００３８】
なお、情報仲介装置の構成とその処理手順及び処理内容、情報送信端末および情報受信端末の種類、生活情報の種類や構成等についても、この発明の要旨を逸脱しない範囲で種々変形して実施可能である。
【００３９】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
１００・・・情報仲介システム、１０１・・・情報送信端末、１０２，６００・・・情報仲介装置、１０３・・・優先情報受信端末、１０４・・・一般情報受信端末、２０１・・・情報受信部、２０２・・・負荷判定部、２０３・・・送受信者対応記憶部、２０４・・・対応受信者特定部、２０５・・・優先受信者記憶部、２０６・・・優先受信者判定部、２０７，６０５・・・情報蓄積部、２０８・・・情報提示部、３０１・・・情報送信者ＩＤ、３０２・・・情報受信者ＩＤ、４０１・・・優先度、６０１・・・第１負荷判定部、６０２・・・情報保留部、６０３・・・タイマー部、６０４・・・第２負荷判定部。
【図１】
0005417294.tif 000002
【図２】
0005417294.tif 000003
【図３】
0005417294.tif 000004
【図４】
0005417294.tif 000005
【図５】
0005417294.tif 000006
【図６】
0005417294.tif 000007